(57)【要約】【課題】  防犯機能を動作させた場合に、自動発信動作を確実に行うことができる携帯端末を提供する。【解決手段】  自動発信機能を動作させるスイッチと、自動発信先の電話番号が予め記憶された電話番号記憶手段と、前記スイッチの状態を検出するスイッチ検出手段と、前記スイッチ検出手段がＯＮ状態を検出したとき、前記電話番号記憶手段に記憶されている電話番号を読み出して、この読み出した電話番号に対して自動発信を行う自動発信手段とを備えた携帯端末であって、自動発信手段は、スイッチがＯＮ状態であるときに、電源キーがＯＦＦ操作されても電話番号記憶手段から読み出した電話番号に対して自動発信を行う。【選択図】    図１
2006270727.tif 000002
【特許請求の範囲】
【請求項１】
自動発信機能を動作させるスイッチと、自動発信先の電話番号が予め記憶された電話番号記憶手段と、前記スイッチの状態を検出するスイッチ検出手段と、前記スイッチ検出手段がＯＮ状態を検出したとき、前記電話番号記憶手段に記憶されている電話番号を読み出して、この読み出した電話番号に対して自動発信を行う自動発信手段とを備えた携帯端末であって、
前記自動発信手段は、前記スイッチがＯＮ状態であるときに、電源キーがＯＦＦ操作されても前記電話番号に対して自動発信を行うことを特徴とする携帯端末。
【請求項２】
前記電源キーがＯＦＦ操作された場合に、表示を消去して見かけ上は停止状態とすることを特徴とする請求項１に記載の携帯端末。
【請求項３】
自動発信機能を動作させるスイッチと、自動発信先の電話番号が予め記憶された電話番号記憶手段と、前記スイッチの状態を検出するスイッチ検出手段と、前記スイッチ検出手段がＯＮ状態を検出したとき、前記電話番号記憶手段に記憶されている電話番号を読み出して、この読み出した電話番号に対して自動発信を行う自動発信手段とを備えた携帯端末であって、
前記スイッチがＯＮ状態となったときに、前記自動発信手段による自動発信が可能でない場合は、見かけ上の起動動作を行うことなく前記自動発信手段を起動して、前記自動発信手段により前記電話番号に対して自動発信を行うことを特徴とする携帯端末。
【請求項４】
自動発信機能を動作させるスイッチと、自動発信先の電話番号が予め記憶された電話番号記憶手段と、前記スイッチの状態を検出するスイッチ検出手段と、前記スイッチ検出手段がＯＮ状態を検出したとき、前記電話番号記憶手段に記憶されている電話番号を読み出して、この読み出した電話番号に対して自動発信を行う自動発信手段とを備えた携帯端末であって、
前記スイッチがＯＮ状態となったときに、前記自動発信手段による自動発信が可能である場合は、見かけ上は停止状態として、前記自動発信手段により前記電話番号に対して自動発信を行うことを特徴とする携帯端末。
【請求項５】
前記自動発信手段は、前記スイッチ検出手段によるＯＮ状態の検出時間が所定時間以上継続した場合に、自動発信を行うことを特徴とする請求項１、３及び４のいずれかに記載の携帯端末。
【発明の詳細な説明】
【技術分野】
【０００１】
本発明は、防犯機能を搭載した携帯端末に関する。
【背景技術】
【０００２】
従来から、非常事態時に警報音を鳴らすとともに、自動発信連絡機能を備えた携帯電話端末が知られている（例えば、特許文献１参照）。これは、いつ起こるかわからない非常事態に早急に対応するために、使用者が所定の操作を行うと防犯アラームを鳴らすとともに、予め設定しておいた緊急連絡先に自動発呼し、予め設定しておいた緊急メッセージを送信するものである。
【特許文献１】特開平１１−３４１５６７号公報
【発明の開示】
【発明が解決しようとする課題】
【０００３】
ところで、特許文献１に示す携帯電話端末は、使用者が所定の操作を行うことにより防犯機能を動作させると、防犯アラームが鳴り、予め設定しておいた緊急連絡先に自動発呼する構成であるため、防犯機能を動作させた場合に、自動的に緊急連絡先へ発信を行うようにすることによる防犯効果を期待することができるものである。
しかしながら、緊急事態発生の原因となった悪意者に携帯電話端末が自動的に緊急連絡先へ発信を行っていることを知られてしまうと、携帯電話端末自身を破壊されたり、電源をＯＦＦ状態にされたりする可能性があり、自動発信機能を有効に利用することができないという問題がある。
【０００４】
本発明は、このような事情に鑑みてなされたもので、防犯機能を動作させた場合に、自動発信動作を確実に行うことができる携帯端末を提供することを目的とする。
【課題を解決するための手段】
【０００５】
本発明は、自動発信機能を動作させるスイッチと、自動発信先の電話番号が予め記憶された電話番号記憶手段と、前記スイッチの状態を検出するスイッチ検出手段と、前記スイッチ検出手段がＯＮ状態を検出したとき、前記電話番号記憶手段に記憶されている電話番号を読み出して、この読み出した電話番号に対して自動発信を行う自動発信手段とを備えた携帯端末であって、前記自動発信手段は、前記スイッチがＯＮ状態であるときに、電源キーがＯＦＦ操作されても前記電話番号に対して自動発信を行うことを特徴とする。
【０００６】
本発明は、前記電源キーがＯＦＦ操作された場合に、表示を消去して見かけ上は停止状態とすることを特徴とする。
【０００７】
本発明は、自動発信機能を動作させるスイッチと、自動発信先の電話番号が予め記憶された電話番号記憶手段と、前記スイッチの状態を検出するスイッチ検出手段と、前記スイッチ検出手段がＯＮ状態を検出したとき、前記電話番号記憶手段に記憶されている電話番号を読み出して、この読み出した電話番号に対して自動発信を行う自動発信手段とを備えた携帯端末であって、前記スイッチがＯＮ状態となったときに、前記自動発信手段による自動発信が可能でない場合は、見かけ上の起動動作を行うことなく前記自動発信手段を起動して、前記自動発信手段により前記電話番号に対して自動発信を行うことを特徴とする。
【０００８】
本発明は、自動発信機能を動作させるスイッチと、自動発信先の電話番号が予め記憶された電話番号記憶手段と、前記スイッチの状態を検出するスイッチ検出手段と、前記スイッチ検出手段がＯＮ状態を検出したとき、前記電話番号記憶手段に記憶されている電話番号を読み出して、この読み出した電話番号に対して自動発信を行う自動発信手段とを備えた携帯端末であって、前記スイッチがＯＮ状態となったときに、前記自動発信手段による自動発信が可能である場合は、見かけ上は停止状態として、前記自動発信手段により前記電話番号に対して自動発信を行うことを特徴とする。
【０００９】
本発明は、前記自動発信手段は、前記スイッチ検出手段によるＯＮ状態の検出時間が所定時間以上継続した場合に、自動発信を行うことを特徴とする。
【発明の効果】
【００１０】
本発明によれば、防犯スイッチがＯＮ状態であるときに、電源キーによりＯＦＦ操作された場合に、表示を消去して見かけ上は停止状態として、自動発信する動作を続行するようにしたため、緊急事態が発生したことを示すメッセージ等を途中で途切れることなく確実に発信先へ送信することができるという効果が得られる。また、防犯スイッチがＯＮ状態となったときに、見かけ上は停止状態としたまま、自動発信する動作を行うようにしたため、緊急事態が発生したことを示すメッセージ等を確実に発信先へ送信することができるという効果が得られる。これにより、非常事態発生時において、的確な措置を講じることが可能となる。
【発明を実施するための最良の形態】
【００１１】
以下、本発明の一実施形態による携帯端末を図面を参照して説明する。図１は同実施形態における携帯端末２０の構成を示すブロック図である。この図において、符号１は、携帯端末２０の処理動作を統括して制御するＣＰＵである。符号２は、基地局との間で無線通信を行う無線通信部である。符号３は、自動発信を行う発信先（緊急連絡先）の電話番号や携帯端末２０を動作されるためのプログラム等を記憶するメモリである。符号４は、ダイヤルキーボタン、ファンクションキーボタン、電源キーボタンなどを配列したキーパネルである。符号５は、キーパネル４に配列されたキーボタンの視認性を高めるために、キーボタンの背面に設けられた光源によって各キーボタンを照明するキーバックライトである。符号６は、液晶のディスプレイ装置等から構成する表示部である。符号７は、通話中における通話相手の通話音声を発音させるスピーカである。
【００１２】
符号８は、通話中における話者の通話音声を集音するマイクである。符号９は、携帯端末２０周囲の動画または静止画を撮像するカメラである。符号１０は、ノブをスライドさせるといった機械的にＯＮ状態の位置とＯＦＦ状態の位置に動かすことが可能なスイッチ等で構成され、携帯端末２０の使用者がＯＮにする操作を行うことにより、防犯機能を動作させることができる防犯スイッチであり、ＯＮ状態である間は警報音を発音させることができる。符号１１は、防犯スイッチ１０のＯＮ／ＯＦＦ状態を検出する防犯スイッチ検出部である。防犯スイッチ検出部１１は、キーパネル４上の電源キーを操作することによる携帯端末２０のＯＮ状態またはＯＦＦ状態に関係なく、携帯端末２０内に備えられた電源（２次電池）１５からの電力が直接的に供給されており、電力が供給可能な限り動作することが可能であり、携帯端末２０の電源がＯＦＦ状態であっても防犯スイッチ１０の状態を検出することができる。また、防犯スイッチ検出部１１は、携帯端末２０の電源がＯＦＦ状態である時に、防犯スイッチ１０がＯＮ状態であることを検出すると、キーパネル４上の電源キーをＯＮ状態にした場合と同様に、携帯端末２０の電源をＯＮ状態とする。したがって、携帯端末２０の電源がＯＦＦ状態の時において防犯スイッチ１０をＯＮ状態とする操作は、携帯端末２０の電源がＯＦＦ状態のときに、電源キーボタンを操作して携帯端末２０の電源をＯＮ状態とする操作と同等の機能が起動する。符号１２は、着信音を発音させるとともに、防犯スイッチ１０がＯＮ状態となった場合に大音量の警報音を発音するスピーカである。符号１３は、携帯端末２０が起動中である場合に、キーバックライト５、表示部６、スピーカ７に対する電源供給を制御する電源供給制御部である。符号１４は、ＧＰＳ（Global Positioning System）による位置情報取得機能や現在通信中の基地局を特定することによる位置情報取得機能を用いて、携帯端末２０の現在位置の情報を取得する位置情報取得部である。
【００１３】
ここで図４を参照して、携帯端末２０が動作する環境について説明する。この図において、符号２１は、携帯端末２０を公衆回線へ接続するための基地局である。符号２２は、携帯端末２０が属する通信会社の移動通信網である。符号２３は、携帯端末２０と同じ通信会社に属する携帯端末２４と移動通信網２２とを接続する基地局である。符号２５は、固定電話機２６と携帯端末２０を接続するための固定電話網である。符号２７は、携帯端末２０と異なる通信会社の移動通信網である。符号２８は、携帯端末２０と異なる通信会社の携帯端末２９と移動通信網２７とを接続する基地局である。メモリ３には、自動発信先の電話番号として、図４に示す携帯端末２４、固定電話機２６及び携帯端末２９等の電話番号が登録可能である。
【００１４】
次に、図２、図３を参照して、図１に示す携帯端末２０の動作を説明する。
初めに、図２を参照して、防犯スイッチ１０が操作され、警報音が発音されている場合に、携帯端末２０のキーパネル４上の電源キーが操作された場合の動作を説明する。まず、携帯端末２０が待ち受け状態であるときに、携帯端末２０の使用者が防犯スイッチ１０をＯＮにする。防犯スイッチ検出部１１は、防犯スイッチ１０がＯＮになったことを検出する（ステップＳ１、Ｓ２）と、ＣＰＵ１に対して、防犯スイッチ１０がＯＮになったことを通知する。これを受けてＣＰＵ１は、スピーカ１２から警報音を発音する（ステップＳ３）。
【００１５】
次に、ＣＰＵ１は、メモリ３に記憶されている自動発信先の電話番号を読み出し、この電話番号を含む自動発信指示信号を無線通信部２へ出力する。これを受けて、無線通信部２は、自動発信指示信号に含まれる電話番号に対して自動発信する（ステップＳ４）。この発信動作を行うときに、ＣＰＵ１は、発信動作中であることを示す表示を表示部６に対して行わない。したがって、表示部６に待ち受け画面が表示されている状態のまま発信動作が行われることになる。また、ＣＰＵ１は、電源供給制御部１３に対して、スピーカ７（発信相手の通話音声を発するスピーカ）の電源供給停止を指示する。これを受けて、電源供給制御部１３は、スピーカ７に対する電源供給を停止する。これにより、発信先相手が着信した場合の通話音声がスピーカ７から発音することを防止することができる。
【００１６】
次に、ＣＰＵ１は、自動発信動作を続行しながら（ステップＳ５）、キーパネル４上の電源キーの状態を検出し（ステップＳ６）、電源キーにより電源ＯＦＦ操作が行われたかを判定する（ステップＳ７）。電源ＯＦＦの操作がされなければ自動発信動作を続行する。一方、警報音が発せられた後に、自動発信動作が開始されて、発信動作が続行中に、電源キーにより電源ＯＦＦ操作が行われた場合、ＣＰＵ１は、電源ＯＦＦ時に実行するべきシーケンスのうち、表示部６に対して行う表示終了シーケンスのみを行う。
【００１７】
続いて、ＣＰＵ１は、電源供給制御部１３に対して、キーバックライト５と表示部６の電源供給停止を指示する。これを受けて、電源供給制御部１３は、キーバックライト５と表示部６に対する電源供給を停止する。これにより、表示部６の表示が消え、キーバックライト５が消灯されることになり、携帯端末２０は、見かけ上停止状態となる（ステップＳ８）。しかし、自動発信動作は続行し（ステップＳ９）、自動発信先が着信した時点で、ＣＰＵ１は、メモリ３に予め記憶しておいた緊急時のメッセージを読み出して、このメッセージを無線通信部２から送信する。このとき、自動発信に対する着信後に自動発信先へ送信する内容は、メモリ２に予め記憶しておいたメッセージに加えて、カメラ９により撮像した携帯端末２０周辺の画像（静止画または動画）情報、マイク８により集音した携帯端末２０周辺の音声情報、位置情報取得部１４により得られた携帯端末２０の現在位置情報を送信するようにしてもよい。
【００１８】
このように、防犯スイッチ１０がＯＮ状態であるときに、電源キーによりＯＦＦ操作された場合に、表示を消去して見かけ上は停止状態とし、予めメモリ３に記憶しておいた電話番号に対して自動発信する動作を続行するようにしたため、緊急事態が発生したことを示すメッセージ等を途中で途切れることなく確実に発信先へ送信することができる。
【００１９】
次に、図３を参照して、防犯スイッチ１０が操作され、警報音が発音されている場合に、携帯端末２０のキーパネル４上の電源キーの状態に応じた自動発信を行う動作を説明する。まず、携帯端末２０が待ち受け状態であるとき、または携帯端末２０の電源がＯＦＦ状態であるときに、携帯端末２０の使用者が防犯スイッチ１０をＯＮにする。防犯スイッチ検出部１１は、防犯スイッチ１０がＯＮになったことを検出する（ステップＳ１１、Ｓ１２）と、携帯端末２０の電源がＯＮ状態であるかを判定する（ステップＳ１３）。この判定の結果、電源がＯＮ状態であれば、防犯スイッチ検出部１１は、ＣＰＵ１に対して、防犯スイッチ１０がＯＮになったことを通知する。これを受けてＣＰＵ１は、スピーカ１２から警報音を発音する（ステップＳ１４）。
【００２０】
次に、ＣＰＵ１は、電源供給制御部１３に対して、キーバックライト５と表示部６の電源供給停止を指示する。これを受けて、電源供給制御部１３は、キーバックライト５と表示部６に対する電源供給を停止する。これにより、表示部６の表示が消え、キーバックライト５が消灯されることになり、携帯端末２０は、見かけ上停止状態となる（ステップＳ１５）。続いて、ＣＰＵ１は、メモリ３に記憶されている自動発信先の電話番号を読み出し、この電話番号を含む自動発信指示信号を無線通信部２へ出力する。これを受けて、無線通信部２は、自動発信指示信号に含まれる電話番号に対して自動発信する（ステップＳ１６）。
【００２１】
一方、ステップＳ１３の判定の結果、電源がＯＦＦ状態であれば、防犯スイッチ検出部１１は、キーパネル４の電源キーが押下された場合と同様に、電源をＯＮ状態にして、ＣＰＵ１を起動する（ステップＳ１７）。そして、防犯スイッチ検出部１１は、ＣＰＵ１に対して、防犯スイッチ１０がＯＮになったことを通知する。これを受けてＣＰＵ１は、スピーカ１２から警報音を発音する（ステップＳ１８）。そして、ＣＰＵ１は、表示部６に対して、起動時行うべき表示シーケンスを行わずに無線通信部２を起動する（ステップＳ１９）。続いて、ＣＰＵ１は、メモリ３に記憶されている自動発信先の電話番号を読み出し、この電話番号を含む自動発信指示信号を無線通信部２へ出力する。これを受けて、無線通信部２は、自動発信指示信号に含まれる電話番号に対して自動発信する（ステップＳ１６）。
【００２２】
次に、ＣＰＵ１は、自動発信動作を行った後に、自動発信先が着信した時点で、メモリ３に予め記憶しておいた緊急時のメッセージを読み出して、このメッセージを無線通信部２から送信する。このとき、自動発信に対する着信後に自動発信先へ送信する内容は、メモリ２に予め記憶しておいたメッセージに加えて、カメラ９により撮像した携帯端末２０周辺の画像（静止画または動画）情報、マイク８により集音した携帯端末２０周辺の音声情報、位置情報取得部１４により得られた携帯端末２０の現在位置情報を送信するようにしてもよい。
【００２３】
このように、防犯スイッチ１０がＯＮ状態となったときに、表示部６における表示及びキーバックライト５を消去して、携帯端末２０の見かけ上は停止状態としたまま、予めメモリ３に記憶しておいた電話番号に対して自動発信する動作を行うようにしたため、緊急事態が発生したことを示すメッセージ等を確実に発信先へ送信することができる。
【００２４】
なお、ＣＰＵ１は、防犯スイッチ検出部１１が防犯スイッチ１０のＯＮ状態を検出している間は警報音をスピーカ１２から発音させるが、自動発信は、防犯スイッチ検出部１１が防犯スイッチ１０のＯＮ状態を検出し、ＯＮ状態が所定時間（例えば、１０秒間）以上継続した場合のみに行うようにしてもよい。このようにすることにより、誤って防犯スイッチ１０をＯＮにしても直ぐにＯＦＦにした場合には自動発信を行わないため、誤った自動発信が行われることを防止することができる。
【００２５】
また、本発明の携帯端末は、移動通信を使用した携帯電話機や移動通信機能を有した携帯情報端末（ＰＤＡ）などを含むものである。
【図面の簡単な説明】
【００２６】
【図１】本発明の一実施形態の構成を示すブロック図である。
【図２】図１に示す携帯端末２０の動作を示すフローチャートである。
【図３】図１に示す携帯端末２０の動作を示すフローチャートである。
【図４】システムの全体構成を示すブロック図である。
【符号の説明】
【００２７】
１・・・ＣＰＵ、２・・・無線通信部、３・・・メモリ、４・・・キーパネル、５・・・キーバックライト、６・・・表示部、７・・・スピーカ、８・・・マイク、９・・・カメラ、１０・・・防犯スイッチ、１１・・・防犯スイッチ検出部、１２・・・スピーカ、１３・・・電源供給制御部、１４・・・位置情報取得部、１５・・・電源、２０・・・携帯端末
【図１】
2006270727.tif 000003
【図２】
2006270727.tif 000004
【図３】
2006270727.tif 000005
【図４】
2006270727.tif 000006